(57)【要約】      （修正有） 【課題】特に自衛隊等で使用する弾薬ケース、弾装ケース等と衣服類、背嚢類或いは弾薬帯やベルト等とを着脱自在に連結するケースの連結具であり、装着時にがたつかずに装着でき、他の物品との接触による不必要な音の発生を防止すると共に接触に伴う破損や故障を防止することのできる連結具の提供。【解決手段】折り返し部を介して帯状支持板部と帯状係止板部とからなるケースと他の部材とを連結する連結具の帯状支持板部と帯状係止板部のそれぞれの端部は両者が離隔する位置にあり、帯状支持板部の端部に、該両端部を着脱自在に係止する係止具を有し、帯状支持板部に突出形成した折り曲げ部を有し、両板部を近づけることにより折り返し部の弾力及び折り曲げ部での接触による弾力に抗して係止具によって着脱自在に係止できると共に帯状支持板部と帯状係止板部の隙間に連結すべき他の部材を挟む連結具。【選択図】図１
0003128945.tif 000002
【実用新案登録請求の範囲】
【請求項１】
帯状支持板部１０又は帯状係止板部１１のいずれかによってケースＣに装着すると共に折り返し部１２を介して帯状支持板部１０と帯状係止板部１１とからなるケースＣと他の部材とを連結する連結具であって、
少なくとも帯状支持板部１０と帯状係止板部１１のそれぞれの端部１３，１４は両者が離隔する位置にあると共に、
帯状支持板部１０又は／及び帯状係止板部１１の端部１３，１４には、該両端部を着脱自在に係止する係止具１５を有するものであり、
帯状支持板部１０又は帯状係止板部１１のいずれか一に他の板部方向に向かって突出形成した略山状の折り曲げ部１０１を有し、
帯状支持板部１０と帯状係止板部１１とを近づけることにより折り返し部１２の弾力及び折り曲げ部１０１での接触による弾力のそれぞれの弾力に抗して係止具１５によって着脱自在に係止できると共に
折り返し部１２と折り曲げ部１０１間及び折り曲げ部１０１と係止具１５間のそれぞれの帯状支持板部１０と帯状係止板部１１の隙間に連結すべき他の部材を挟むことにより連結することを特徴とする連結具。
【請求項２】
連結具を配設するケースＣと
帯状支持板部１０又は帯状係止板部１１の折り曲げ部１０１と係止具１５を有する端部１３，１４間とを
布状物２１を用いて縫い付けることによって連結具１をケースＣに配設することを特徴とする請求項１記載の連結具。
【請求項３】
帯状支持板部１０と帯状係止板部１１とからなる連結具を金属で構成することを特徴とする請求項１又は２のいずれかに記載の連結具。
【請求項４】
係止具１５が回動可能に装着した輪状リングであり、他の板体に該リング部を掛けることによって着脱自在に係止することを特徴とする請求項１乃至３のいずれかに記載の連結具。
【請求項５】
ケースが、弾薬ケース、弾装ケース、水筒ケース、シャベルケース、救急セットケースのいずれか一であることを特徴とする請求項１乃至４のいずれかに記載の連結具。
【考案の詳細な説明】
【技術分野】
【０００１】
本考案は、自衛隊等で使用する弾薬ケース、弾装ケース、水筒ケース、シャベルケース、救急セットケースと衣服類、或いは弾薬帯やベルト等とを着脱自在に連結するケースの連結具に関する。
【背景技術】
【０００２】
従来より、ケース等の袋体類を携帯するに際し、袋体の裏面に輪状に構成した帯を構成し、該輪に弾薬帯やベルトを差し込んで腰等に携帯する該輪状の連結具は多用されている。
この場合、この袋体等のベルトへの取り付け及び取り外しが煩雑であり、ベルトをはずした状態での着脱等が必要となることに対して、これを簡単にかつ確実に行えると共に、装着状態も不意に外れずにしっかりと装着する連結具が望まれることとなった。
【０００３】
特に自衛隊等において、９ミリ、５．５６ミリ、７．６２ミリ或いは１２．７ミリ等の小銃弾等の戦闘弾類を入れるための小型の携帯用弾薬ケース或いは弾装ケースや、水筒ケース、シャベルケース或いは救急セットケース等をベルトや衣服等に装着することが必要であり、これらは全て簡単に着脱可能であり、かつその装着状態もきっちりと装着されることが望まれるものである。
更に、これらの使用状況は極めて過酷であり、故障や破損の極めて少ない頑丈なものであることも要望されるものである。
【考案の開示】
【考案が解決しようとする課題】
【０００４】
以上の様に、この様な要請に対して、これらを解決するため図１２に示すような袋体の連結具が用いられていた。
本構成によれば、携帯用弾薬ケースの袋体の裏面に少なくとも２列以上の並列した挿通孔を有する連結帯を有し、それぞれの孔内に支持体と該支持体から上下方向でそれぞれ突出した腕部を有し、該一の腕部から他の腕部に亘って架設可能な可動係止体を有し、該可動係止体を稼動することによって腕部間に隙間を生じ、この隙間に弾薬帯を通して腰に着脱自在に装着する連結部を有する各種ケースの袋体が用いられてきた。
【０００５】
図１３は、図１２に示す従来例の携帯用弾薬ケースの袋体を弾薬帯に装着した一例を示す図である。
この様に構成した場合、例えば該可動係止体が細片状部材よりなると、どうしても装着時にぶらついてしまい、図１３に示すように少なくとも該連結部を二つ併設し、所謂二点支持によってきっちりと装着することが必要となる。
更に装着の確実性を高めるため、図１２及び図１３に示すように上部の腕部には下部方向に向かって突出形成している導通路を有することとなる。
従って、この様に構成することによって腰等の弾薬帯への装着に際しては確実なる装着ができるが、反面これらの構造のように着脱に際してはどうしても二点において操作することが必要となると共に、その製造時にも二箇所への装着が必要となりコスト高になりかねないものであった。
【０００６】
更に、例えば弾薬帯やベルト等の他、水筒ケース、シャベルケース、救急セットケース等は背嚢類等にも装着する場合もあるが、前述のように取り扱いのよい衣服例えばジャケットへの装着も望まれる。
この場合特に、ジャケット類に帯状の装着テープを多数有するジャケットの提供によって、直接衣服の任意位置に前記ケースを装着可能となる。
例えば一般的に用いられている単に一連の帯のみを有するジャケットも考えられるが、この場合にはテープである帯の両端部分での衣服との縫製部分でのみケース重量を支えることとなり、帯のねじれ等によって装着したケースにがたつきが生じてしまうものである。
【０００７】
該がたつきは、ケースの連結部によって他の物品と接触して不必要な音を生じさせることに繋がり、例えば部隊全体で行動する場合等は、その雑音は極めて大きくなってしまうものである。
更に、ケースの他の物品との接触は、不必要な衝撃を常に与えてしまうことにも繋がり、不測の故障や破損の発生のおそれもでてしまう。
併せて、該帯体の装着場所は通常少ないものであると共にその位置も特定されており、使い勝手の点で何らかの改良が望まれるものである。
そこで、ジャケットに関しては該帯状の装着用テープを少なくとも一定間隔をもって二連以上に構成すると共に該テープの帯の長手方向に一定間隔でジャケットと縫製する装着用テープを有するジャケットを用いることができ、かかる構成において少なくともジャケットの任意位置に各種ケースを装着できることとなる。
【０００８】
但し、該二連に形成した装着用テープに関しては、前記図１２及び図１３に示すケースの袋体を装着した場合には、前記と同様にどうしてもがたつきが生じてしまい不必要な接触を防止することはできないものであった。
そこで、かかる場合においてもがたつかずに装着することのできるケースの連結具の提供を目的とし、更にはより使い勝手がよくその着脱が容易であるばかりでなく、装着状態の維持も可能となる自衛隊等で使用する弾薬ケース、弾装ケース、水筒ケース、シャベルケース、救急セットケースと衣服類、背嚢或いは弾薬帯やベルト等とを着脱自在に連結するケースの連結具の提供を課題とする。
更には、製造に際してより簡単に製造でき、コストの掛からない何らかの連結具の提供を課題とする。
【課題を解決するための手段】
【０００９】
以上より、前記課題を解決するために請求項１に記載の考案は、帯状支持板部又は帯状係止板部のいずれかによってケースに装着すると共に折り返し部を介して帯状支持板部と帯状係止板部とからなるケースと他の部材とを連結する連結具であって、少なくとも帯状支持板部と帯状係止板部のそれぞれの端部は両者が離隔する位置にあると共に、帯状支持板部又は／及び帯状係止板部の端部には、該両端部を着脱自在に係止する係止具を有するものであり、帯状支持板部又は帯状係止板部のいずれか一に他の板部方向に向かって突出形成した略山状の折り曲げ部を有し、帯状支持板部と帯状係止板部とを近づけることにより折り返し部の弾力及び折り曲げ部での接触による弾力のそれぞれの弾力に抗して係止具によって着脱自在に係止できると共に折り返し部と折り曲げ部間及び折り曲げ部と係止具間のそれぞれの帯状支持板部と帯状係止板部の隙間に連結すべき他の部材を挟むことにより連結する連結具によって解決できる。
【００１０】
この場合請求項２に係る考案のように、連結具を配設するケースと、帯状支持板部又は帯状係止板部の折り曲げ部と係止具を有する端部間とを、布状物を用いて縫い付けることによって連結具をケースに配設する連結具であってもよい。
更に、請求項３に係る考案のように帯状支持板部と帯状係止板部とからなる連結具を金属で構成する連結具でも、或いは請求項４に係る考案のように係止具が回動可能に装着した輪状リングであり、他の板体に該リング部を掛けることによって着脱自在に係止する連結具を用いてもよい。
これらの場合特に、請求項５に係る考案のように、弾薬ケース、弾装ケース、水筒ケース、シャベルケース、救急セットケースのいずれか一である連結具であってもよい。
【考案の効果】
【００１１】
以上のように構成することにより、まず請求項１にかかる考案については、少なくとも二箇所で帯状物をきっちりと挟み込んで連結することができるものであり、例えば装着用テープや帯状物、ベルト状物にきっちりと挟み込むことができる。
従って、連結すべきものをきっちりと係止して連結できることとなる。
更に帯状支持板部と帯状係止板部とで弾力を持った状態で係止できるものであり、併せてより弾力を持つように押し曲げ部構成を有しているものとなり、その係止状態をきっちりと維持できる。
更には係止具により着脱自在に簡単に係止できるものであり極めて使い勝手のよい連結具の提供が行えるものである。
【００１２】
又、ひとつの帯状物を係止する場合には該折り曲げ部で、よりきっちりと挟むことができると共に二つの帯部と連結する場合にはそれぞれの帯部に合致する隙間を有することができるものであり、連結に際しての挟み込みの効率を図れるばかりでなく挟み込みの実効を高めることもできる。
更に請求項２に係る考案によれば、連結具をケースにきっちりと装着できることとなるものであり、その装着状態もきっちりとかつ効率的に行えるものである。
又、請求項３に係る考案によれば、帯状支持板部と帯状係止板部と野折り返し部と折り曲げ部による離間する弾力をより効率的に発揮できることとなる。
併せて、その製造も簡単に行え、かつ低廉で製造できることとなる。
【００１３】
次に請求項４に係る考案によれば、輪状リングによる係止具でより簡単かつ安全確実に着脱できるものであり、更にはその製造も容易となる。
又請求項５に係る考案によれば、例えば自衛隊において極めて効率的に用いることができ、特に不必要なぐらつきによる音の発生を効率的に防止して、部隊等の活動の効率化や有効な活動の維持を図ることができることとなる。
【考案を実施するための最良の形態】
【００１４】
本考案に係る自衛隊等で使用する弾薬ケース、弾装ケース、水筒ケース、シャベルケース、救急セットケースと衣服類、或いは弾薬帯やベルト等とを着脱自在に連結するケースの連結具１の最適な実施の状態の一例を図１に示す。
本図に示す構成においては、弾薬ケースＣの袋体２の背面に連結具１を有している。
まず袋体２は、例えば９ミリ、５．５６ミリ、７．６２ミリ或いは１２．７ミリ等の小銃弾等の戦闘弾を入れるための弾薬ケースＣよりなる袋体２の一例を示すものである。
係るケースＣの袋体２の背面の連結具１は袋体２の帯状の布状物２１によって縫製されているものである。
【００１５】
本図に示す連結具１は、金属製の帯状支持板部１０と帯状係止板部１１とからなり、両者は一の帯状板体を折り返して折り返し部１２を形成することにより構成しているものである。
帯状支持板部１０及び帯状係止板部１１ともに折り返し部１２を介してそれぞれ離間方向に傾斜しているものであり、折り返し部１２の反対方向の帯状支持板部１０及び帯状係止板部１１の端部１３，１４をそれぞれ接触方向に近づけるには、弾力に抗して接触させることが必要となる。
更に、帯状支持板部１０の略中央部には帯状係止板部１１方向に突出形成した略山状に形成した折り曲げ部１０１を有している。
【００１６】
この略山状に形成した折り曲げ部１０１の頂部１０１ａは、帯状係止板部１１の端部１４を帯状支持板部１０方向に近づけた場合にまず、この部分で帯状係止板部１１に接触し、この頂部１０１ａの接触点を支点として、更に弾力を有することとなる。
本図構成においては、略山状の折り曲げ部１０１と折り返し部１２間の帯状支持板部１０を袋体２の背面に布状物２１で係止しているものである。
この場合、帯状支持板部１０に沿って布状物２１にステッチ２１０を入れてあり、きっちりと帯状支持板部１０を袋体２の背面即ちケースＣに装着しているものである。
【００１７】
次に、帯状支持板部１０の端部１３即ち折り返し部１２の反対方向の端部１３には係止具１５を有しており、これは輪状係止リングによって構成されている。
又、帯状係止板部１０においては、該輪状係止リング１５をかけることのできる係止端部１６を有している。
この場合、輪状リング１５の幅が帯状支持板部１０と同じ幅を有しており、輪状リング１５の配置箇所の帯状支持板部１０の側辺部１７が切除されていることに伴い、帯状係止板部１１の端部1４の側辺部１６も該リングが掛け回し可能な程度切除されている。
尚、本図に示す係止具１５は一例であり、帯状支持板部１０の端部１３と帯状係止板部１１の端部１４とを弾力を持って係止可能な係止具１５を有しておればよいものである。
【００１８】
更には、例えば帯状支持板部１０と帯状係止板部の１１いずれか一方に係止具１５を有し、その係止具１５によって帯状支持板部１０と帯状係止板部１１とが弾力を持って係止可能であればよいものである。
例えば、本図に示すように一方に係止リング１５を有するものであっても、或いは係止用舌片を有するものであっても、或いは係止用突出部を有するものであってもよい。
【００１９】
例えば図１に示すリングの先端半円形状部分を板体とした舌辺部のような構造であってももちろんよい。
以上のように構成することにより、係止具１５によって簡単かつ確実にきっちりと帯状支持板部１０と帯状係止板部１１とを弾力を持って係止でき、両者にできる隙間に他の部材を挟むことによってケースと他の部材との連結を可能とする。
即ち該隙間に例えば例えば衣服の装着用テープＴや弾薬帯ＢＢに通すことによって装着できるものであり、その他例えばベルトＢ等を通すことによって装着できるものである。
衣服用の装着テープＴとしては例えば衣服に係止用の帯体Ｔやループ帯体Ｔ等があり、衣服以外でも例えば背嚢などにも受けられている帯状の装着用テープＴであってももちろんよい。
【００２０】
該略帯状の装着テープＴに連結具１をかけることによって連結具１を有するケース等の袋体や水筒或いはシャベルケース等或いは救急セットケース等を簡単にかつ確実に着脱自在に装着できることとなる。
更に、該係止具１５をはずすことによって簡単に帯状支持板部１０と帯状係止板部１１とを開くことができることから、ベルト等から外れることとなる。
従って、該連結具１を用いることによってケースをベルトＢや係止用の各種帯状体Ｔ等に装着することができると共に、取り外しを可能とするものである。
【００２１】
図２は、本考案の連結具１の装着に最適な衣服の一例としてジャケットＪの例を示す図であり、該ジャケットＪにはその表面に帯状の装着テープＴを多数有しているものである。
このジャケットＪに関しては該帯状の装着用テープＴを少なくとも一定間隔をもって二連以上に構成するものであり、更に該テープＴの帯の長手方向に一定間隔でジャケットＪと縫製ａすることにより一定間隔においてジャケットＪに縫い付けられているものである。
従って、該構成によって該ジャケットＪの装着用テープ部Ｔに本考案にかかる連結具１をかけることができると共に、該装着用テープＴはジャケットＪと一定間隔で縫い付けられており、がたつくことがない。
【００２２】
更に特徴的なものは二連以上、上下方向に連接しているものであり、該二連に亘る帯状の装着用テープＴに連結具１を掛け渡した場合には、連結具１の略山状の折り曲げ部１２をはさんで両端方向の帯状支持板部１０と帯状係止板部１１の間にそれぞれ挟むことができることとなる。
従って装着用テープＴがきっちりとジャケットＪに縫製ａされていてぐらつくことがないと共に、更には上下二連に亘る装着用テープＴの双方に装着できることから、更なるがたつき等を防止でき、きっちりとジャケットＪに装着できることとなる。
従って、不用意ながたつき等により生ずる音の発生を防止できると共にがたつきによる他の物品との接触等による破損等も防止できる。
【００２３】
図３は、図２に示すジャケットＪに本考案に係る連結具１を用いた弾薬ケースＢＣと救急セットケースＥＣを装着した一例を示す図である。
該構成により、簡単かつ確実にジャケットＪに装着でき、かつその装着状況もがたつきなくきっちりと装着できるものである。
図４は、弾薬ケースＢＣ，Ｃの背面に本考案に係る連結具１を装着し、さらにジャケットＪの装着用テープＴ二連に亘って挟み込んで装着する装着状態の一例を示す図である。
本図に示す通り、係止具１５によって帯状支持板部１０と帯状係止板部１１とを着脱自在に装着用テープＴにとめることができる。
【００２４】
尚、装着用テープＴの挿通部分は帯状支持板部１０の略山状の折り曲げ部１０１から折り返し部１２間の帯状支持板部１０と帯状係止板部１１間にできる隙間に一の装着用テープＴ２が挿通され、更には帯状支持板部１０の略山状の折り曲げ部１０１から端部１３即ち係止具１５の装着位置方向の帯状支持板部１０と帯状係止板部１１間にできる隙間に他の装着用テープＴ１が挿通されるものである。
例えばこの隙間が装着用テープＴの幅よりやや大きい程度の幅であればきっちりと該テープに挿通できることとなる。
もとよりこれに限らず略山状の折り曲げ部１０１の頂部１０１ａがテープＴの一部を挟む構成であってもよい。
この頂部１０１ａによってテープＴをきっちりと押さえることも可能となる。
【００２５】
図５は、本考案に係る連結具１の一例を示す図であり、特に図１及び図４に示した連結具１の構成の一例を示す図である。
本図に示すように、連結具１は金属製の帯状支持板部１０と帯状係止板部１１とからなり、折り返し部１２を介して連設しているものであり、帯状支持板部１０及び帯状係止板部１１ともに折り返し部１２を介してそれぞれ離間方向に傾斜し、帯状支持板部１０及び帯状係止板部１１の端部１３，１４をそれぞれ接触方向に近づけるには、弾力に抗して接触させることが必要となる。
帯状支持板部１０の略中央部には帯状係止板部１１方向に突出形成した略山状に形成した折り曲げ部１０１を有しており、この頂部１０１ａは帯状係止板部１１の端部１４を帯状支持板部１０方向に近づけた場合にこの部分で帯状係止板部１１に接触し、この頂部１０１ａの接触点を支点として更に弾力を有することによって両者を近接することができるものとなる。
【００２６】
次に、帯状支持板部１０の端部１３には輪状係止リングの係止具１５を有しており、帯状係止板体１１の端部１４位置に該リング１５を掛けることによって係止可能に構成されている。
尚、本図において金属製と明示したが、もとより金属の弾発力によって効果的に作用するが例えば樹脂製や弾力を有する竹製や木製などで構成したものであってももちろんよい。
図６は、帯状支持板部１０と帯状係止板部１１とのそれぞれの端部１３，１４を弾力に抗して近づけた上で前記リング１５によって係止している状態を示す図である。
【００２７】
図７は図６に連結具１の側面図を示す図である。
この様に構成していることから、リング１５を掛け外せば簡単に取り外せるものである。
尚、前記リング１５の弧状中央部分はやや傾斜して指をかけやすく構成しているものである。
更に帯状係止板部１１の端辺部１４はやや外側に傾斜して構成されており、掛け外しや帯状係止板部１１の取り扱い時に指の係りをよくして扱いやすく構成しているものである。
図８は、例えば図２に示すジャケットＪの装着用テープＴに連結具１を着脱自在に係止した場合に一例の側面端面図を示す図である。
【００２８】
本図に示すように、連結具１の帯状支持板部１０の山状折り曲げ部１０１と折り返し部１２間には各種ケース類等への連結具１を係止するための例えば布状物等２１による係止がなされているものである。
更に、帯状支持板部１０と帯状係止板部１１とは弾圧状態で係止具１５によって着脱自在に係止されているものである。
即ち係止具１５を強固に係止する方向即ち帯状支持板部１０と帯状係止板部１１とがそれぞれ反発する方向に弾圧されていることから、該係止状態はしっかりと維持できるものであり、係止具１５の係り止めを外すことによって初めて反発方向に離れるものである。
更に、帯状係止板部１０と略山状の折り曲げ部１０１の頂部１０１ａとの接触位置の両側方向にはそれぞれ装着用テープＴ１，Ｔ２が挟み込まれている。
【００２９】
本図においては、該隙間にある程度の間隔を持って挟まれているが、もとよりもっと密に挟まれる程度間隔が狭いものや或いはテープＴに厚みを有するものであってもよい。
或いはテープＴ自体に伸縮性を有し、挟むことによって収縮状態で挟まれるものであってもよい。
この様にすることによって装着用テープＴをきっちりと挟み込んで装着できるものである。
尚、この装着用テープＴは一例であり、これに代えてベルトＢや弾薬帯ＢＢ等に装着するものであってもよい。
或いは、該二連状態のテープＴ１，Ｔ２を挟むことに変えて、単に一連のテープ、ベルト或いは帯を帯状係止板部１１と略山状の折り曲げ部１０１の頂部１０１ａとの接触位置の両側方向のいずれかに挟むことによって装着するものであってももちろんよい。
【００３０】
図９は、弾薬ケースＢＣに代えて水筒ケースＣＣに本考案にかかる連結具１を装着した一例を示す図である。
この様に構成することによって、水筒類をもきっちりと装着できるものである。
もとよりこれに代えて、弾装ケースやシャベルケース、救急セットケースに用いるものであってももちろんよい。
例えば水筒ケースやシャベルケース等は背嚢やベルト等に装着するに際して極めて使い勝手よく着脱ができると共にきっちりと装着できるものである。
図１０は、ケースＣの袋体２の背面に連結具１を有し、弾薬帯ＢＢに装着する場合の他の一例を示す図である。
例えば弾薬帯ＢＢ等は一条のベルト状部材よりなることから帯状支持板部１０の係止具１５と折り曲げ部１０１間の位置に挟むことによって装着するものである。
【００３１】
この場合においても帯状支持板部１０の折り曲げ部１０１と折り返し部２１の間において布状物２１によってケースＣの袋体背面に装着しているものである。
この様に構成することによって、係止具１５例えば本図の場合には輪状リングが上部位置にすることとなり、作業性の向上が望めるものである。
尚、この場合においても帯状支持板部１０の構成している山状折り曲げ部１０１は、この位置に限らずその他の任意位置に設けたものであってもよく、更には帯状係止板部１１に設けたものであってもよい。
或いは、山状折り曲げ部１０１の形状が異なるものである場合であってもよく、弾力をもって反発可能にし得る構成であればよい。
【００３２】
この他、この折り曲げ部１０１を有しないものであってもよい。
更に、係止具１５を帯状支持板部１０に設けているが、これに限らず帯状係止板部１１に設けたものであってもよく、或いは両者に設け該両者によって着脱自在に係止するものであってもよい。
また、係止具１５は輪状リングを一例として示すがこれに限らず、他の形状の係止具を用いたものであってもよい。
又、本考案においては、図に弾薬ケースＢＣの袋体を示すが、これに限らず例えば自衛隊で使用する水筒ケースＣＣや小物入れ或いは、シャベルケース、救急セットケースＥＣ、弾装ケース等の身体や背嚢等に着脱自在に装着すべき装備品に用いるものであってもよい。
【００３３】
図１１は、本考案に係る連結具１をケースＣ類の袋体等に配設する際に、その配設状態の他の例を示す図であり、係止具１５が下部方向に位置し、折り返し部１２が上部に位置するように配置した一例を示す。
本図構成においては、連結具１の帯状支持板部１０の折り曲げ部１０１と係止具１５を有する端部１３間において布状部材２１などで袋体に配設されている。
この場合、帯状支持板部１０の折り返し部分は上部に位置することから、該帯状支持板部１０と帯状係止板部１１の間に例えば装着用テープＴや弾薬帯ＢＢ等を挟んだ場合には、上部位置の折り返し部２１によって位置制御され、抜け落ちなどはなくなる。 例えば本図のようにケースＣの袋体等に配設するものであってもよい。
【００３４】
図１２は、従来例の連結具４の一例を示す図である。
本図に示す構成はケースＣの袋体の背面に布状物２１によって２列に並列した挿通孔を有する連結帯２１を有し、それぞれの孔内に支持体４１を有し、又該支持体４１から上下方向でそれぞれ突出した腕部４２，４３を有し、該一の腕部４２から他の腕部４３に亘って架設可能な可動係止体４４を有し、該可動係止体４４を可動することによって腕部間に隙間を生じされ、この隙間にベルトを通して腰に着脱自在に装着するものである。
更に上部の腕部４２には下部方向に向かって突出形成している導通路４５を有する。
【００３５】
従って、その装着に際しては二箇所の操作を必要とすると共にベルトへの挿通時に連結具４を有する袋体が用いられてきた。
更に、導通部４５によってベルト装着時の不意なはずれなどの防止は可能となると共にその装着をより確実かつ安全にすることができるが、反面導通部４５によってベルトに掛ける場合に邪魔になると共にその取り外しの際にも同様に邪魔となり作業性の点で一歩劣ることとなる。
更に、該係止具を二点用いることが必要となると共に設置しなければならず、コスト面でも改良が望まれることとなる。
【００３６】
図１３は、図１２に示す従来例のベルトＢへの装着状態の一例を示す図である。
この様に構成した場合、例えば該可動係止体４４が細片状部材よりなると、どうしても装着時にぶらついてしまい、該連結部分を少なくとも二つ併設し、所謂二点支持乃至多点支持等によって初めてきっちりと装着することができるものであり、どうしても改良が望まれるものである。
【図面の簡単な説明】
【００３７】
【図１】本考案に係る連結具を有する弾薬ケースの袋体の一例を示す図
【図２】本考案に係る連結具に最適なジャケットの一例を示す図
【図３】図２に示すジャケットに本考案に係る連結具を用いたケースを装着した一例を示す図
【図４】本考案に係る連結具を有する弾薬ケースを装着用テープに装着している状態の一例を示す図
【図５】本考案に係る連結具の一例を示す図
【図６】図５に示す連結具の係止具を用いて帯状支持板部と帯状係止板部とを係止した一例を示す図
【図７】図４の連結具の側面図
【図８】本考案に係る連結具の装着上端の横端面図を示す図
【図９】本考案に係る連結具を水筒ケースに用いた一例を示す図
【図１０】本発明に係る連結具を弾薬帯に装着した状態の一例を示す図
【図１１】本考案に係る連結具を有する弾薬ケースの袋体への配設状態の他の一例を示す図
【図１２】従来例を示す図
【図１３】従来例を示す図
【符号の説明】
【００３８】
１        連結具        
１０      帯状支持板部
１０１    折り曲げ部
１０１ａ  頂部
１１      帯状係止板部
１２      折り返し部
１３      帯状支持板部の端部
１４      帯状係止板部の端部
１５      係止具
１６      帯状係止板部の係止端部
１７      帯状支持板部の切り欠き部
２        袋体
２１      布状物
２１０    ステッチ
Ｃ        ケース
ＢＣ      弾薬ケース
ＣＣ      水筒ケース
ＥＣ      救急キットケース
Ｂ        ベルト
ＢＢ      弾薬帯
Ｊ        ジャケット
ａ        縫製部
Ｔ        装着用テープ
【図１】
0003128945.tif 000003
【図２】
0003128945.tif 000004
【図３】
0003128945.tif 000005
【図４】
0003128945.tif 000006
【図５】
0003128945.tif 000007
【図６】
0003128945.tif 000008
【図７】
0003128945.tif 000009
【図８】
0003128945.tif 000010
【図９】
0003128945.tif 000011
【図１０】
0003128945.tif 000012
【図１１】
0003128945.tif 000013
【図１２】
0003128945.tif 000014
【図１３】
0003128945.tif 000015